(57)【要約】      （修正有）【課題】浴槽排水口を浴槽の底部における洗い場に近い位置に設けた場合にも、浴槽排水口に流れ出した水に起因する不具合の発生を抑制できる浴室及び浴槽を提供する。【解決手段】長手方向に延びる浴槽１００と、浴槽を支える架台２００と、浴槽の短手方向において浴槽と隣接して配置される洗い場床と、浴槽のリムのうち、洗い場床と反対側に位置し、長手方向に延びるリムの上に載置される壁パネル４０１と、を備え、浴槽は、長手方向に延びる浴槽本体１１０と、浴槽本体の底部において壁パネルよりも洗い場床に近い位置に設けられた浴槽排水口と、浴槽本体から下方に延び、壁パネルよりも洗い場床に近い位置において架台の洗い場床側を向く側面に当接する脚部１３０と、を有し、脚部を架台の側面に当接させた状態で設置される浴室。【選択図】図６
2020141966.tif 000002
【特許請求の範囲】
【請求項１】
長手方向に延びる浴槽と、
前記浴槽を支える架台と、
前記浴槽の短手方向において前記浴槽と隣接して配置される洗い場床と、
前記浴槽のリムのうち、前記洗い場床と反対側に位置し、前記長手方向に延びるリムの上に載置される壁パネルと、
を備え、
前記浴槽は、
前記長手方向に延びる浴槽本体と、
前記浴槽本体の底部において前記壁パネルよりも前記洗い場床に近い位置に設けられた浴槽排水口と、
前記浴槽本体から下方に延び、前記壁パネルよりも前記洗い場床に近い位置において前記架台の前記洗い場床側を向く側面に当接する脚部と、
を有し、前記脚部を前記架台の前記側面に当接させた状態で設置されることを特徴とする浴室。
【請求項２】
前記浴槽は、前記長手方向に並ぶ一対の前記脚部を有し、
前記浴槽排水口は、前記長手方向において一対の前記脚部の間に配置されていることを特徴とする請求項１記載の浴室。
【請求項３】
前記浴槽排水口は、前記長手方向において一対の前記脚部の略中央に配置されていることを特徴とする請求項２記載の浴室。
【請求項４】
前記脚部は、
前記架台の上に載置される載置部と、
前記短手方向において前記載置部と隣接し、前記載置部よりも下方に向かって延びることにより、前記架台の前記側面に当接する当接部と、
を有することを特徴とする請求項１〜３のいずれか１つに記載の浴室。
【請求項５】
前記脚部は、前記浴槽本体と一体に形成されていることを特徴とする請求項１〜４のいずれか１つに記載の浴室。
【請求項６】
長手方向に延びる浴槽を支える架台と、前記浴槽の短手方向において前記浴槽と隣接して配置される洗い場床と、前記浴槽のリムのうち、前記洗い場床と反対側に位置し、前記長手方向に延びるリムの上に載置される壁パネルと、を備えた浴室に用いられる浴槽であって、
前記長手方向に延びる浴槽本体と、
前記浴槽本体の底部において前記壁パネルよりも前記洗い場床に近い位置に設けられた浴槽排水口と、
前記浴槽本体から下方に延び、前記壁パネルよりも前記洗い場床に近い位置において前記架台の前記洗い場床側を向く側面に当接する脚部と、
を備え、
前記脚部を前記架台の前記側面に当接させた状態で設置されることを特徴とする浴槽。
【発明の詳細な説明】
【技術分野】
【０００１】
本発明の態様は、一般的に、浴室及び浴槽に関する。
【背景技術】
【０００２】
浴槽が設置された浴室が知られている。浴槽は、架台に設置されており、浴槽のリム上には浴室を構成する壁パネルが載置されている。また、浴槽の底部には、浴槽に貯められた水を排出するための浴槽排水口が設けられており、この浴槽排水口を開状態とすることで、水を浴槽外に排出することができる。
【０００３】
この際、浴槽排水口は、浴室の洗い場に設けられた洗い場排水口と、排水管同士が繋がることで、排水経路を複数設ける必要が無く、効率的である。従って、浴槽排水口は、浴槽の底部において、洗い場に近い位置に設けられた方が良い。
【０００４】
しかし、浴槽排水口を浴槽の底部における洗い場に近い位置に設けると、浴槽水を排出した際に、流れ出した水の勢いによって、浴槽の洗い場側に下方へ引き込まれる力がかかり易くなる。その結果、浴槽の傾きや浴槽の位置ずれ、もしくは、浴槽リムに載置された壁パネルへの応力発生など、各種の不具合が発生する可能性がある。
【先行技術文献】
【特許文献】
【０００５】
【特許文献１】特開２０１７−１６９８２９号公報
【発明の概要】
【発明が解決しようとする課題】
【０００６】
本発明は、かかる課題の認識に基づいてなされたものであり、浴槽排水口を浴槽の底部における洗い場に近い位置に設けた場合にも、浴槽排水口に流れ出した水に起因する不具合の発生を抑制できる浴室及び浴槽を提供することを目的とする。
【課題を解決するための手段】
【０００７】
第１の発明は、長手方向に延びる浴槽と、前記浴槽を支える架台と、前記浴槽の短手方向において前記浴槽と隣接して配置される洗い場床と、前記浴槽のリムのうち、前記洗い場床と反対側に位置し、前記長手方向に延びるリムの上に載置される壁パネルと、を備え、前記浴槽は、前記長手方向に延びる浴槽本体と、前記浴槽本体の底部において前記壁パネルよりも前記洗い場床に近い位置に設けられた浴槽排水口と、前記浴槽本体から下方に延び、前記壁パネルよりも前記洗い場床に近い位置において前記架台の前記洗い場床側を向く側面に当接する脚部と、を有し、前記脚部を前記架台の前記側面に当接させた状態で設置されることを特徴とする浴室である。
【０００８】
この浴室によれば、浴槽が、脚部を架台の側面に当接させた状態で設置される。この当接により、浴槽排水口に流れ出した水の勢いによって、浴槽が洗い場床側に傾いたり、浴槽の位置がずれたりすることを、抑制することができる。従って、浴槽排水口を浴槽本体の底部における洗い場床に近い位置に設けた場合にも、浴槽水を排出した際に、浴槽排水口に流れ出した水の勢いによって、浴槽の傾きや浴槽の位置ずれ、もしくは浴槽のリムに載置された壁パネルへの応力発生など、各種の不具合が発生する可能性を低減させることができる。
【０００９】
第２の発明は、第１の発明において、前記浴槽は、前記長手方向に並ぶ一対の前記脚部を有し、前記浴槽排水口は、前記長手方向において一対の前記脚部の間に配置されていることを特徴とする浴室である。
【００１０】
この浴室によれば、浴槽水の排出によって発生する浴槽からの応力を、一対の脚部によって適切に架台に伝えることができる。従って、各種の不具合が発生する可能性をより低減させることができる。
【００１１】
第３の発明は、第２の発明において、前記浴槽排水口は、前記長手方向において一対の前記脚部の略中央に配置されていることを特徴とする浴室である。
【００１２】
この浴室によれば、浴槽水の排出によって発生する浴槽からの応力を、一対の脚部によって、さらに適切に架台に伝えることができる。従って、各種の不具合が発生する可能性を、さらに低減させることができる。
【００１３】
第４の発明は、第１〜第３のいずれか１つの発明において、前記脚部は、前記架台の上に載置される載置部と、前記短手方向において前記載置部と隣接し、前記載置部よりも下方に向かって延びることにより、前記架台の前記側面に当接する当接部と、を有することを特徴とする浴室である。
【００１４】
例えば、脚部の全体を架台の側面に当接させた場合、設置時などに脚部が強い力で架台の側面に当接した際に、脚部と浴槽本体との接合部分を支点として回転する力が脚部に加わり、浴槽本体との接合部分において脚部全体が破損してしまう可能性が生じる。この浴室によれば、脚部が載置部と当接部とを有し、当接部を架台の側面に当接させる。これにより、設置時などに当接部が強い力で架台の側面に当接した際にも、載置部と当接部との境界部分を支点として回転する力が脚部に加わるようになる。これにより、当接部が強い力で架台の側面に当接した際にも、脚部の破損を抑制することができる。仮に、脚部が破損したとしても、脚部の破損個所を当接部のみに抑え、脚部全体が破損してしまうことを抑制することができる。
【００１５】
第５の発明は、第１〜第４のいずれか１つの発明において、前記脚部は、前記浴槽本体と一体に形成されていることを特徴とする浴室である。
【００１６】
この浴室によれば、脚部を浴槽本体と別部品で形成する場合と比べて、浴槽の部品点数を削減することができる。これにより、例えば、浴槽の製造コストを抑えることができる。また、例えば、浴槽を設置する際に、設置現場において脚部を浴槽本体に取り付ける手間などを抑制し、浴槽を設置する際の作業性を向上させることもできる。
【００１７】
第６の発明は、長手方向に延びる浴槽を支える架台と、前記浴槽の短手方向において前記浴槽と隣接して配置される洗い場床と、前記浴槽のリムのうち、前記洗い場床と反対側に位置し、前記長手方向に延びるリムの上に載置される壁パネルと、を備えた浴室に用いられる浴槽であって、前記長手方向に延びる浴槽本体と、前記浴槽本体の底部において前記壁パネルよりも前記洗い場床に近い位置に設けられた浴槽排水口と、前記浴槽本体から下方に延び、前記壁パネルよりも前記洗い場床に近い位置において前記架台の前記洗い場床側を向く側面に当接する脚部と、を備え、前記脚部を前記架台の前記側面に当接させた状態で設置されることを特徴とする浴槽である。
【００１８】
この浴槽によれば、脚部を架台の側面に当接させた状態で設置される。この当接により、浴槽排水口に流れ出した水の勢いによって、浴槽が洗い場床側に傾いたり、浴槽の位置がずれたりすることを、抑制することができる。従って、浴槽排水口を浴槽本体の底部における洗い場床に近い位置に設けた場合にも、浴槽水を排出した際に、浴槽排水口に流れ出した水の勢いによって、浴槽の傾きや浴槽の位置ずれ、もしくは浴槽のリムに載置された壁パネルへの応力発生など、各種の不具合が発生する可能性を低減させることができる。
【発明の効果】
【００１９】
本発明の態様によれば、浴槽排水口を浴槽の底部における洗い場に近い位置に設けた場合にも、浴槽排水口に流れ出した水に起因する不具合の発生を抑制できる浴室及び浴槽が提供される。
【図面の簡単な説明】
【００２０】
【図１】実施形態に係る浴室を模式的に表す斜視図である。
【図２】実施形態に係る架台及び洗い場床を模式的に表す分解斜視図である。
【図３】実施形態に係る架台を模式的に表す斜視図である。
【図４】図４（ａ）及び図４（ｂ）は、実施形態に係る浴槽を模式的に表す側面図及び底面図である。
【図５】実施形態に係る浴室を模式的に表す平面図である。
【図６】図６（ａ）及び図６（ｂ）は、浴槽及び架台を模式的に表す説明図である。
【図７】浴槽及び架台の一部を模式的に表す拡大断面図である。
【発明を実施するための形態】
【００２１】
以下、本発明の実施の形態について図面を参照しつつ説明する。なお、各図面中、同様の構成要素には同一の符号を付して詳細な説明は適宜省略する。  
図１は、実施形態に係る浴室を模式的に表す斜視図である。  
図２は、実施形態に係る架台及び洗い場床を模式的に表す分解斜視図である。  
図３は、実施形態に係る架台を模式的に表す斜視図である。
【００２２】
図１に表したように、浴室１０は、浴槽１００と、架台２００と、洗い場床３００と、壁パネル４００と、ドア枠５００と、を備える。浴室１０は、建築の浴室設置空間ＢＳ内に設置して使用される、いわゆるユニットバスやシステムバスである。
【００２３】
浴槽１００は、長手方向ＬＤに延びる。浴室１０を上方から見た形状は、例えば、矩形状である。浴槽１００を上方から見た形状は、例えば、長手方向ＬＤに延びる長方形状である。
【００２４】
架台２００は、浴槽１００を支える。また、架台２００は、洗い場床３００をさらに支える。洗い場床３００は、浴槽１００の短手方向ＳＤにおいて浴槽１００と隣接して配置される。
【００２５】
架台２００は、浴室設置空間ＢＳの設置面（例えば、建築の床）に設置され、浴槽１００や洗い場床３００にかかる荷重を受け、その位置を保持する。なお、洗い場床３００を支える架台は、浴槽１００を支える架台２００と別に設けてもよい。架台２００は、少なくとも浴槽１００を支持可能に構成されていればよい。
【００２６】
図２に表したように、架台２００は、洗い場側架台２１０と、浴槽側架台２２０と、蓋体２３０と、を有する。洗い場側架台２１０は、浴槽１００の短手方向ＳＤにおいて浴槽側架台２２０と隣接して配置される。これにより、上記のように、浴槽１００の短手方向ＳＤにおいて浴槽１００と隣接して洗い場床３００を配置することができる。
【００２７】
洗い場側架台２１０は、ボルト部を回転させることで高さ調節可能な構造を有する支持脚２１１を有し、洗い場床３００を下方から支持する。そして、洗い場側架台２１０が支持脚２１１により高さ調整されることで、洗い場床３００の水平面が確保される。
【００２８】
浴槽側架台２２０は、ボルト部を回転させることで高さ調節可能な構造を有する支持脚２２１を有し、浴槽１００を下方から支持する。そして、浴槽側架台２２０が支持脚２２１により高さ調整されることで、浴槽１００の水平面が確保される。
【００２９】
架台２００は、浴槽１００や洗い場床３００にかかる荷重を受けるため、充分な強度を必要とする。例えば、架台２００の上部には、鋼材製のデッキプレートやサンドイッチパネルなどが用いられる。架台２００の上面、すなわちデッキプレートやサンドイッチパネルなどの上面は、浴槽１００や洗い場床３００の水平基準面となる。
【００３０】
洗い場側架台２１０の中央部には、上下方向に貫通した作業口（開口部）２１３が設けられている。例えば、浴室の組立作業を行う作業者は、作業口２１３から手を入れて架台２００の下方へ手を伸ばすことで、支持脚２１１、２２１の高さ調整を行ったり、架台２００の裏側において排水管の配設や接続を楽に行うことができる。蓋体２３０は、洗い場側架台２１０の作業口２１３を塞ぐ。作業口２１３は、支持脚２１１、２２１の高さ調整を行ったり排水管の配設や接続を行った後に、蓋体２３０によって塞がれる。
【００３１】
洗い場床３００は、架台２００の洗い場側架台２１０の上に載置される。洗い場床３００は、例えば、熱可塑性発泡樹脂により形成されている。熱可塑性発泡樹脂としては、例えば発泡ポリプロピレン、発泡ポリスチレン、発泡ポリエチレン、発泡ポリウレタンなどが挙げられる。熱可塑性発泡樹脂は、リサイクル可能なため、これを用いることで洗い場床３００の製造・廃棄に伴うＣＯ２排出量を削減して環境に優しい製品を提供することができる。また、発泡樹脂は、他の成形法に比べて金型費用を低く抑えることができ、洗い場床３００の製造コストを抑えることもできる。
【００３２】
洗い場床３００は、周縁部が上側に向かって延びた浅底の器状（パン状）に形成されている。洗い場床３００は、浴室１０の外部への水の漏出を抑制する防水性を有する。なお、本願明細書において「水」という場合には、冷水のみならず、加温されたお湯も含むものとする。
【００３３】
洗い場床３００の表面（架台２００とは反対側の面）の周囲には、壁パネル４００及びドア枠５００を載置するための載置部が設けられている。これと同様に、浴槽１００のリム１０２の周囲には、壁パネル４００を載置するための載置部が設けられている。
【００３４】
図２及び図３に表したように、浴室１０は、排水管２８０をさらに備える。排水管２８０は、より具体的には、下水管などから浴室１０内への悪臭や虫などの侵入を抑制するための排水トラップである。
【００３５】
排水管２８０は、洗い場側架台２１０及び浴槽側架台２２０に取り付けられる。排水管２８０は、浴槽１００と接続される浴槽接続部２８２と、洗い場床３００と接続される洗い場床接続部２８４と、を有する。排水管２８０は、洗い場側架台２１０及び浴槽側架台２２０に取り付けられた状態で、浴槽１００及び洗い場床３００と接続される。
【００３６】
洗い場床３００において、浴槽１００との境界部近傍には、排水管２８０の洗い場床接続部２８４に連通する洗い場床排水口３１０が設けられている。洗い場床排水口３１０が設けられた部分は、窪んでおり、洗い場床３００の表面には、洗い場床排水口３１０に向けて下向き傾斜した排水勾配が付けられている。
【００３７】
洗い場床排水口３１０には、排水管２８０の洗い場床接続部２８４と洗い場床排水口３１０とを締め付けて架台２００と洗い場床３００とを挟持するためのパッキン３２１、ワッシャ３２３、および締付フランジ３２５が取り付けられている。これにより、洗い場床排水口３１０が、排水管２８０の洗い場床接続部２８４と接続される。洗い場床３００の表面に流れた水は、洗い場床排水口３１０及び洗い場床接続部２８４を介して排水管２８０に流れ、排水管２８０を介して外部の下水管などに排出される。
【００３８】
図１に表したように、浴室１０は、第１壁パネル４０１〜第７壁パネル４０７の複数の壁パネル４００を備える。浴室１０は、複数の壁パネル４００により、上方から見た状態において矩形状に配置された４つの壁面を構成する。また、浴室１０は、図示を省略した天井パネルをさらに備え、天井パネルによって、４つの壁面の上方を塞ぐ天井面を構成する。このように、浴室１０は、複数の壁パネル４００と天井パネルとによって、矩形状の空間を形成する。
【００３９】
第１壁パネル４０１及び第２壁パネル４０２は、浴槽１００のリム１０２の４つの周縁部のうち、洗い場床３００と反対側に位置し、長手方向ＬＤに延びるリム１０２の周縁部の上に載置される。
【００４０】
第３壁パネル４０３は、リム１０２の短手方向ＳＤに延びる２つの周縁部のうちの一方の周縁部の上に載置される。第４壁パネル４０４は、リム１０２の短手方向ＳＤに延びる２つの周縁部のうちの他方の周縁部の上に載置される。
【００４１】
第５壁パネル４０５は、洗い場床３００の短手方向ＳＤに延びる２つの周縁部のうちの一方の周縁部の上に載置される。
【００４２】
第６壁パネル４０６及び第７壁パネル４０７は、洗い場床３００の４つの周縁部のうち、浴槽１００と反対側に位置し、長手方向ＬＤに延びる周縁部の上に載置される。
【００４３】
また、図１に表した浴室１０では、第４壁パネル４０４と第７壁パネル４０７との間にドア枠５００が設けられている。ドア枠５００は、壁パネル４００の一部として設けてもよいし、壁パネル４００の一部ではなく単独として設けてもよい。
【００４４】
隣接する壁パネル４００の間には、隣接する壁パネル４００同士を連接する壁面接続部材（ジョイナー）４２０が設けられている。壁面接続部材４２０は、例えば、洗い場床３００の周縁部および浴槽１００のリム１０２の周縁部に設けられた壁面固定部材（ジョイナー取付部）により保持されている。
【００４５】
なお、本実施形態における壁パネル４００の構成は、上記に限定されるものではない。この例では、浴室１０の１つの面を２枚の壁パネル４００で構成している。これに限ることなく、浴室１０の１つの面は、１枚の壁パネル４００で構成してもよいし、３枚以上の壁パネル４００で構成してもよい。また、浴室１０の１つの面を構成する壁パネル４００の数は、浴室１０の４つの面において異なっていてもよい。
【００４６】
図４（ａ）及び図４（ｂ）は、実施形態に係る浴槽を模式的に表す側面図及び底面図である。  
図５は、実施形態に係る浴室を模式的に表す平面図である。  
図４（ａ）は、浴槽１００の側面図であり、図４（ｂ）は、浴槽１００の底面図である。  
図４（ａ）、図４（ｂ）、及び図５に表したように、浴槽１００は、浴槽本体１１０と、浴槽排水口１２０と、脚部１３０と、を備える。
【００４７】
浴槽本体１１０は、長手方向ＬＤに延びる。浴槽本体１１０を上方から見た形状は、例えば、長手方向ＬＤに延びる長方形状である。浴槽本体１１０は、内部に湯水を貯められるように下方に向かって凹んだ容器形状に形成されている。浴槽１００のリム１０２は、換言すれば、浴槽本体１１０の上端面である。
【００４８】
浴槽排水口１２０は、浴槽本体１１０の底部に設けられている。浴槽排水口１２０は、浴槽１００を架台２００の浴槽側架台２２０の上に載置した状態において、浴槽側架台２２０に取り付けられた排水管２８０の浴槽接続部２８２と上下方向において対向する。
【００４９】
浴槽接続部２８２には、浴槽本体１１０の内側から図示を省略した締付フランジが取り付けられる。締付フランジは、浴槽接続部２８２とともに浴槽排水口１２０の周縁を挟む。これにより、浴槽排水口１２０が、排水管２８０の浴槽接続部２８２と接続される。浴槽本体１１０に貯められた水は、浴槽排水口１２０及び浴槽接続部２８２を介して排水管２８０に流れ、排水管２８０を介して外部の下水管などに排出される。
【００５０】
このように、浴槽１００及び洗い場床３００は、共通の排水管２８０を介して外部の下水管などと接続される。これにより、排水経路を複数設ける必要が無く、浴槽１００及び洗い場床３００のそれぞれに個別の排水管を接続する構成などと比べて、浴室１０の構成を簡単にすることができる。例えば、浴室１０の部品点数を少なくし、浴室１０の製造コストを抑えることができる。
【００５１】
浴槽排水口１２０は、浴槽本体１１０の底部において、洗い場床３００と反対側に位置する第１壁パネル４０１（第２壁パネル４０２）よりも洗い場床３００に近い位置に設けられている。ここで、「洗い場床３００に近い」状態とは、より具体的には、短手方向ＳＤにおける浴槽排水口１２０と洗い場床３００との間の距離Ｌ１が、短手方向ＳＤにおける浴槽排水口１２０と第１壁パネル４０１（第２壁パネル４０２）との間の距離Ｌ２よりも短い状態である。
【００５２】
このように、浴槽排水口１２０を第１壁パネル４０１及び第２壁パネル４０２よりも洗い場床３００に近い位置に設けることにより、浴槽１００と洗い場床３００とを共通の排水管２８０で接続し易くすることができる。
【００５３】
脚部１３０は、浴槽本体１１０の底部に設けられ、浴槽本体１１０から下方に延びる。脚部１３０は、例えば、浴槽本体１１０と一体に形成されている。浴槽１００には、例えば、ＦＲＰ（Ｆｉｂｅｒ Ｒｅｉｎｆｏｒｃｅｄ Ｐｌａｓｔｉｃｓ）などの樹脂材料が用いられる。浴槽１００は、例えば、金型を用いたプレス加工により、脚部１３０を浴槽本体１１０と一体に形成する。なお、脚部１３０は、浴槽本体１１０とは別体として形成し、接着やネジ止めなどによって浴槽本体１１０に取り付けてもよい。
【００５４】
浴槽１００は、例えば、短手方向ＳＤに延び、長手方向ＬＤに並ぶ一対の脚部１３０を有する。浴槽１００は、一対の脚部１３０を介して架台２００の浴槽側架台２２０の上に載置される。なお、脚部１３０の数は、２つに限ることなく、１つでもよいし、３つ以上でもよい。
【００５５】
図４（ｂ）に表したように、浴槽排水口１２０は、長手方向ＬＤにおいて一対の脚部１３０の間に配置されている。浴槽排水口１２０に接続される排水管２８０も、同様に、長手方向ＬＤにおいて一対の脚部１３０の間に配置される。
【００５６】
浴槽排水口１２０は、例えば、長手方向ＬＤにおいて一対の脚部１３０の略中央に配置されている。排水管２８０は、長手方向ＬＤにおいて一対の脚部１３０の略中央に配置される。ここで、「浴槽排水口１２０が長手方向ＬＤにおいて一対の脚部１３０の略中央に配置されている」とは、例えば、一対の脚部１３０の間の領域を長手方向ＬＤにおいて三等分した時に、浴槽排水口１２０が、３つの領域のうちの中央の領域に位置している状態である。
【００５７】
図６（ａ）及び図６（ｂ）は、浴槽及び架台を模式的に表す説明図である。  
図７は、浴槽及び架台の一部を模式的に表す拡大断面図である。  
図６（ａ）は、浴槽１００及び架台２００を側方（長手方向ＬＤ側）から見た状態を模式的に表す説明図であり、図６（ｂ）は、架台２００を上方から見た状態を模式的に表す説明図である。  
図７は、図６（ｂ）のＡ１−Ａ２線断面を模式的に表す拡大断面図である。
【００５８】
図６（ａ）、図６（ｂ）、及び図７に表したように、一対の脚部１３０は、浴槽本体１１０から下方に延び、第１壁パネル４０１（第２壁パネル４０２）よりも洗い場床３００に近い位置において架台２００の洗い場床３００側を向く側面２００ｓに当接する。
【００５９】
浴槽１００は、一対の脚部１３０を架台２００の側面２００ｓに当接させた状態で設置される。このように、一対の脚部１３０を架台２００の側面２００ｓに当接させることにより、浴槽１００の短手方向ＳＤの位置を合わせることができる。例えば、浴槽１００と洗い場床３００との短手方向ＳＤの位置合わせを容易にすることができる。また、前述のように、排水管２８０は、洗い場側架台２１０及び浴槽側架台２２０に取り付けられており、排水管２８０の浴槽接続部２８２の位置は、浴槽側架台２２０に対して適切に決められている。従って、一対の脚部１３０を架台２００の側面２００ｓに当接させることにより、浴槽１００の浴槽排水口１２０と排水管２８０の浴槽接続部２８２との短手方向ＳＤの位置合わせも容易に行うことができる。
【００６０】
ここで、「第１壁パネル４０１（第２壁パネル４０２）よりも洗い場床３００に近い位置において架台２００の洗い場床３００側を向く側面２００ｓに当接する」状態とは、より具体的には、短手方向ＳＤにおける側面２００ｓと洗い場床３００との間の距離Ｌ３が、短手方向ＳＤにおける側面２００ｓと第１壁パネル４０１（第２壁パネル４０２）との間の距離Ｌ４よりも短い状態である。
【００６１】
図７に表したように、一対の脚部１３０は、載置部１３２と、当接部１３４と、を有する。載置部１３２は、架台２００の浴槽側架台２２０の上に載置される。当接部１３４は、短手方向ＳＤにおいて載置部１３２と隣接し、載置部１３２よりも下方に向かって延びることにより、架台２００の側面２００ｓに当接する。当接部１３４は、短手方向ＳＤにおいて、載置部１３２と洗い場床３００との間に設けられる。当接部１３４は、例えば、載置部１３２と連続して設けられる。換言すれば、脚部１３０は、底面に段差部を有し、段差部を架台２００の側面２００ｓに当接させる。
【００６２】
架台２００の浴槽側架台２２０は、長手方向ＬＤに延び、短手方向ＳＤに並ぶ複数のフレーム２２２を有する。フレーム２２２は、例えば、角パイプ状（四角筒状）である。架台２００の側面２００ｓは、例えば、複数のフレーム２２２のうちの最も洗い場床３００に近いフレーム２２２の洗い場床３００側を向く側面である。
【００６３】
載置部１３２は、例えば、複数のフレーム２２２のそれぞれの上に載置される。これにより、浴槽１００を浴槽側架台２２０の上に安定して載置することができる。なお、浴槽１００は、例えば、複数のフレーム２２２のそれぞれに対応させて複数の脚部１３０を短手方向ＳＤに並べて設けてもよい。但し、上記のように、載置部１３２を複数のフレーム２２２のそれぞれの上に載置させることにより、例えば、載置部１３２とフレーム２２２との位置合わせを容易にすることができる。
【００６４】
当接部１３４は、例えば、角パイプ状のフレーム２２２自体の側面に当接する。これにより、浴槽側架台２２０のうちの強度の高い部分に当接部１３４を当接させることができる。例えば、フレーム２２２などに取り付けられた別の部材などに当接部１３４を当接させる場合などと比べて、当接部１３４の当接にともなう浴槽側架台２２０の変形や破損などを抑制することができる。
【００６５】
この例では、浴槽側架台２２０が、２本のフレーム２２２を有している。フレーム２２２の数は、２本に限ることなく、３本以上でもよい。この例では、複数のフレーム２２２のうちの最も洗い場床３００に近いフレーム２２２の洗い場床３００側を向く側面を、脚部１３０の当接する架台２００の側面２００ｓとしている。側面２００ｓは、これに限ることなく、第１壁パネル４０１（第２壁パネル４０２）よりも洗い場床３００に近い位置において洗い場床３００側を向く架台２００の任意の側面でよい。また、浴槽側架台２２０の構成は、フレーム２２２を有する構成に限ることなく、浴槽１００を支持可能な任意の構成でよい。
【００６６】
以上、説明したように、本実施形態に係る浴室１０及び浴槽１００によれば、浴槽１００が、脚部１３０を架台２００の側面２００ｓに当接させた状態で設置される。この当接により、浴槽排水口１２０に流れ出した水の勢いによって、浴槽１００が洗い場床３００側に傾いたり、浴槽１００の位置がずれたりすることを、抑制することができる。従って、浴槽排水口１２０を浴槽本体１１０の底部における洗い場床３００に近い位置に設けた場合にも、浴槽水を排出した際に、浴槽排水口１２０に流れ出した水の勢いによって、浴槽１００の傾きや浴槽１００の位置ずれ、もしくは浴槽１００のリム１０２に載置された第１壁パネル４０１、第２壁パネル４０２への応力発生など、各種の不具合が発生する可能性を低減させることができる。
【００６７】
また、浴室１０及び浴槽１００では、浴槽１００が、長手方向ＬＤに並ぶ一対の脚部１３０を有し、浴槽排水口１２０が、長手方向ＬＤにおいて一対の脚部１３０の間に配置されている。これにより、浴槽水の排出によって発生する浴槽１００からの応力を、一対の脚部１３０によって適切に架台２００に伝えることができる。従って、各種の不具合が発生する可能性をより低減させることができる。
【００６８】
また、浴室１０及び浴槽１００では、浴槽排水口１２０が、長手方向ＬＤにおいて一対の脚部１３０の略中央に配置されている。これにより、浴槽水の排出によって発生する浴槽１００からの応力を、一対の脚部１３０によって、さらに適切に架台２００に伝えることができる。従って、各種の不具合が発生する可能性を、さらに低減させることができる。
【００６９】
例えば、脚部１３０の全体を架台２００の側面２００ｓに当接させた場合、設置時などに脚部１３０が強い力で架台２００の側面２００ｓに当接した際に、脚部１３０と浴槽本体１１０との接合部分を支点として回転する力が脚部１３０に加わり、浴槽本体１１０との接合部分において脚部１３０全体が破損してしまう可能性が生じる。この浴室１０及び浴槽１００によれば、脚部１３０が載置部１３２と当接部１３４とを有し、当接部１３４を架台２００の側面２００ｓに当接させる。これにより、設置時などに当接部１３４が強い力で架台２００の側面２００ｓに当接した際にも、載置部１３２と当接部１３４との境界部分を支点として回転する力が脚部１３０に加わるようになる。これにより、当接部１３４が強い力で架台２００の側面２００ｓに当接した際にも、脚部１３０の破損を抑制することができる。仮に、脚部１３０が破損したとしても、脚部１３０の破損個所を当接部１３４のみに抑え、脚部１３０全体が破損してしまうことを抑制することができる。
【００７０】
浴槽１００は、例えば、架台２００の側面２００ｓに当接する脚部１３０とは別に、浴槽側架台２２０の上に載置されるのみの脚部を、さらに有してもよい。この場合、脚部１３０は、必ずしも浴槽側架台２２０の上に載置されなくてもよい。すなわち、脚部１３０自体の側面を架台２００の側面２００ｓに当接させてもよい。
【００７１】
脚部１３０の構成は、載置部１３２と当接部１３４とを有する構成に限定されるものではない。脚部１３０の構成は、少なくとも架台２００の側面２００ｓに当接し、浴槽排水口１２０に流れ出した水に起因する不具合の発生を抑制できる任意の構成でよい。
【００７２】
また、浴室１０及び浴槽１００では、脚部１３０が、浴槽本体１１０と一体に形成されている。これにより、脚部１３０を浴槽本体１１０と別部品で形成する場合と比べて、浴槽１００の部品点数を削減することができる。これにより、例えば、浴槽１００の製造コストを抑えることができる。また、例えば、浴槽１００を設置する際に、設置現場において脚部１３０を浴槽本体１１０に取り付ける手間などを抑制し、浴槽１００を設置する際の作業性を向上させることもできる。
【００７３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室１０や浴槽１００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７４】
１０ 浴室、  １００ 浴槽、  １０２ リム、  １１０ 浴槽本体、  １２０ 浴槽排水口、  １３０ 脚部、  １３２ 載置部、  １３４ 当接部、  ２００ 架台、  ２００ｓ 側面、  ２１０ 洗い場側架台、  ２１１ 支持脚、  ２１３ 作業口、  ２２０ 浴槽側架台、  ２２１ 支持脚、  ２２２ フレーム、  ２３０ 蓋体、  ２８０ 排水管、  ２８２ 浴槽接続部、  ２８４ 洗い場床接続部、  ３００ 洗い場床、  ３１０ 洗い場床排水口、  ３２１ パッキン、  ３２３ ワッシャ、  ３２５ 締付フランジ、  ４００ 壁パネル、  ４０１ 第１壁パネル、  ４０２ 第２壁パネル、  ４０３ 第３壁パネル、  ４０４ 第４壁パネル、  ４０５ 第５壁パネル、  ４０６ 第６壁パネル、  ４０７ 第７壁パネル、  ４２０ 壁面接続部材、  ５００ ドア枠
【図１】
2020141966.tif 000003
【図２】
2020141966.tif 000004
【図３】
2020141966.tif 000005
【図４】
2020141966.tif 000006
【図５】
2020141966.tif 000007
【図６】
2020141966.tif 000008
【図７】
2020141966.tif 000009